(57)【要約】  本発明は、表示装置のための光導波体（５）、およびかかる光導波体（５）を使用する虚像生成装置に関する。光導波体（５）は、それぞれ異なる波長に整合された２つ以上の部分光導波体（５Ｒ、５Ｇ、５Ｂ）を有する。この場合、これらの部分光導波体（５Ｒ、５Ｇ、５Ｂ）のうちの少なくとも１つは、光学フィルタ（７０）を有する。この光学フィルタ（７０）は、使用される波長に整合されている。
2021528681.tif 000002
【特許請求の範囲】
【請求項１】
それぞれ異なる波長に整合された２つ以上の部分光導波体（５Ｒ、５Ｇ、５Ｂ）を備えた、表示装置のための光導波体（５）において、
前記部分光導波体（５Ｒ、５Ｇ、５Ｂ）のうちの少なくとも１つは、光学フィルタ（７０、７０Ｒ、７０Ｇ、７０Ｂ）を有することを特徴とする、
表示装置のための光導波体（５）。
【請求項２】
前記光学フィルタ（７０、７０Ｒ、７０Ｇ、７０Ｂ）は誘電体フィルタである、請求項１記載の光導波体（５）。
【請求項３】
当該光導波体（５）は、関連する３つの波長（λＲ、λＧ、λＢ）のために３つの部分光導波体（５Ｒ、５Ｇ、５Ｂ）を有する、請求項１または２記載の光導波体（５）。
【請求項４】
第１の部分光導波体（５Ｒ）は、前記３つの波長（λＲ、λＧ、λＢ）に対し透過性である光学フィルタ（７０Ｒ）を有し、第２の部分光導波体（５Ｇ）は、前記３つの波長のうち２つの波長（λＧ、λＢ）に対し透過性である光学フィルタ（７０Ｇ）を有し、第３の部分光導波体（５Ｂ）は、前記３つの波長のうち１つの波長（λＢ）に対し透過性である光学フィルタ（７０Ｂ）を有する、請求項３記載の光導波体（５）。
【請求項５】
前記部分光導波体（５Ｒ、５Ｇ、５Ｂ）は平面的に形成されており、１つの積層体を成している、請求項１から４までのいずれか１項記載の光導波体（５）。
【請求項６】
少なくとも１つの光学フィルタ（７０、７０Ｒ、７０Ｇ、７０Ｂ）が前記積層体に集積されている、請求項５記載の光導波体（５）。
【請求項７】
前記光学フィルタ（７０、７０Ｒ、７０Ｇ、７０Ｂ）は、部分光導波体（５Ｒ、５Ｇ、５Ｂ）の界面に被着されている、請求項１から６までのいずれか１項記載の光導波体（５）。
【請求項８】
部分光導波体（５Ｒ、５Ｇ、５Ｂ）の界面への前記光学フィルタ（７０、７０Ｒ、７０Ｇ、７０Ｂ）の被着は、蒸着またはスパッタリングにより行われる、請求項１から７までのいずれか１項記載の光導波体（５）。
【請求項９】
画像を生成する画像生成ユニット（１）と、
虚像（ＶＢ）を生成するためにミラーユニット（３）に向けて前記画像を投影する光学ユニット（２）と
射出瞳を拡開するために、請求項１から８までのいずれか１項記載の少なくとも１つの光導波体（５）と、
を有する、虚像（ＶＢ）を生成する装置。
【請求項１０】
移動手段の操作者に対し虚像（ＶＢ）を生成するために、請求項９記載の装置を備えた移動手段。
【発明の詳細な説明】
【技術分野】
【０００１】
本発明は、表示装置のための光導波体、およびかかる光導波体を使用する虚像を生成する装置に関する。
【０００２】
ＨＵＤとも呼ばれるヘッドアップディスプレイとは、表示すべき内容が観察者の視野内に挿入されることから、観察者が自身の視線を維持できる表示システムのことであると解される。かかるシステムはそれらの複雑さおよびコストゆえに、元々は主として航空分野において利用されてきたが、いまでは自動車分野においても量産でそれらのシステムが組み込まれるようになってきている。
【０００３】
ヘッドアップディスプレイは一般に、画像生成器と光学ユニットとミラーユニットとから成る。画像生成器は画像を生成する。光学ユニットはその画像をミラーユニットへ導く。画像生成器は、しばしば画像生成ユニットまたはＰＧＵ（Ｐｉｃｔｕｒｅ  Ｇｅｎｅｒａｔｉｎｇ  Ｕｎｉｔ）とも呼ばれる。ミラーユニットは、部分的に反射性である光透過性のガラス板である。したがって観察者は、画像生成器により表示された内容を虚像として見ると同時に、ガラス板背後の実世界も見る。ミラーユニットとして、自動車分野ではしばしばフロントガラスが用いられ、その湾曲形状を表示にあたり考慮する必要がある。光学ユニットとミラーユニットとの共働によって、虚像は画像生成器により生成された画像の拡大表示となる。
【０００４】
観察者は、いわゆるアイボックスのポジションだけからしか、虚像を観察できない。理論上の観察窓に相応する高さおよび幅を有する領域が、アイボックスと呼ばれる。観察者の目がアイボックス内に位置しているかぎりは、虚像のすべての要素を目で見ることができる。これに対し目がアイボックスの外側に位置していると、虚像は観察者には部分的にしか見えず、またはまったく見えない。したがってアイボックスが大きくなればなるほど、観察者にとって自身のシートポジションの選択にあたり制約が少なくなる。
【０００５】
慣用のヘッドアップディスプレイの虚像のサイズは、光学ユニットのサイズによって制限される。虚像を拡大するための１つのアプローチは、画像生成ユニットから到来する光を光導波体に入射させるというものである。画像情報を担持し光導波体に入射された光は、光導波体の界面で全反射させられ、そのようにして光導波体内部を案内される。これに加え、伝播方向に沿った多数のポジションでそれぞれ光の一部が出射され、その結果、画像情報が光導波体の面全体にわたり分散されて出射される。このようにして光導波体によって、射出瞳の拡開が行われる。この場合、実効射出瞳は、画像生成システムの開口の像から合成される。
【０００６】
このような背景のもとで、米国特許出願公開第２０１６／０１２４２２３号明細書は、虚像表示装置について記載している。この表示装置は、以下のように作用する光導波体を含む。すなわちこの光導波体は、画像生成ユニットから到来し第１の光入射面を通して入射する光を繰り返し内面反射させて、第１の光入射面から離れる第１の方向で進行させる。さらにこの光導波体は、光導波体内を案内される光の一部が、第１の方向に延在する第１の光出射面の領域を通って外部に出射するように作用する。この表示装置はさらに、当射光を回折させ、回折させられた光が光導波体に入射するように作用する、第１の光入射側回折格子と、光導波体から入射する光を回折させる第１の光出射側回折格子とを含む。
【０００７】
米国特許出願公開第２０１６／０１２４２２３号明細書において使用される光導波体は、光の波長に合わせて最適化されている。カラーの虚像を表示しようという場合には、それぞれ波長に合わせて最適化された２つ以上の部分光導波体を設ける必要がある。その際に各色に対し通常、１つの部分光導波体が配属される。ただし２つの色を、１つの部分光導波体において組み合わせて搬送することもできる。これらの部分光導波体は、配属された個々の色で光源によって照射される。ホログラフィック光導波体に依拠するヘッドアップディスプレイの場合には、有効光のほか、個々の部分光導波体のガラス板のところでの太陽光の鏡面反射およびホログラフィック反射も、ミラーユニットを介して目に向けて反射させられる。その結果として通常、少なくとも画像の識別が損なわれることになるけれども、じかにシステムのユーザの安全に関わる眩惑を引き起こすことも多い。
【０００８】
本発明の課題は、妨害光による眩惑のリスクが低減された光導波体および虚像生成装置を提供することにある。
【０００９】
この課題は、請求項１の特徴を備えた光導波体および請求項９の特徴を備えた虚像生成装置によって解決される。従属請求項には本発明の好ましい実施形態が記載されている。
【００１０】
本発明の第１の態様によれば、表示装置のための光導波体は、それぞれ異なる波長に整合された２つ以上の部分光導波体を含み、その際にこれらの部分光導波体のうちの少なくとも１つは、光学フィルタを有する。
【００１１】
本発明のさらなる態様によれば、虚像を生成する装置は、
画像を生成する画像生成ユニットと、
虚像を生成するためにミラーユニットに向けて画像を投影する光学ユニットと、
射出瞳を拡開するための本発明による光導波体と
を有する。
【００１２】
レーザ光を使用した場合、光源のサポート波長に対し著しく狭帯域のスペクトルだけしか用いられない。使用される波長に整合された適切な光学フィルタを使用することによって、妨害光のうちこれらの狭帯域波長領域だけしか部分光導波体まで進めない、ということが達成される。これによって、場合によっては反射させられる太陽光の成分が著しく低減される。その理由は、太陽光のうち光学フィルタの透過領域内にある波長を有する構成部分だけしか、部分光導波体内に侵入できないからである。このようにすれば、透過に必要とされる光学フィルタの透過率の最小値まで、後方反射の低減が達成される。
【００１３】
本発明による光導波体によって、妨害光による眩惑が低減されたヘッドアップディスプレイを実現することができる。したがって特に有利であるのは、太陽光が光導波体に入射する可能性がある環境において利用されるヘッドアップディスプレイにおいて使用することである。このことはたとえば、自動車において使用する場合に該当する。
【００１４】
本発明の１つの態様によれば、光学フィルタは誘電体フィルタである。誘電体フィルタは、透過特性を極めて正確に調整することができ、著しく狭帯域の透過帯域を実現することができる、という利点を有する。これに加え、数多くの適切な誘電体フィルタが市販されており、開発コストをかけずにそれらを活用することができる。
【００１５】
本発明の１つの態様によれば、光導波体は、関連する（zugehoerig）３つの波長のために３つの部分光導波体を有する。このようにすれば、多色の虚像を表示するために光導波体を使用することができる。たとえば、フルカラー画像を表示させることのできる赤色、緑色および青色に対し、部分光導波体を最適化することができる。当業者には、フルカラー画像を実現させることのできるさらなる色の組み合わせが公知である。
【００１６】
本発明の１つの態様によれば、第１の部分光導波体は、３つの波長に対し透過性である光学フィルタを有する。第２の部分光導波体は、３つの波長のうち２つの波長に対し透過性である光学フィルタを有する。最後に第３の部分光導波体は、３つの波長のうち１つの波長に対し透過性である光学フィルタを有する。この実施形態によれば、部分光導波体ごとに１つの光学フィルタが設けられている。妨害光源から見て最初の部分光導波体は、３つの色すべてを透過させる第１の光学フィルタを表面に有する一方、これに続く部分光導波体の第２の光学フィルタは、２つの色に対してのみ透過性である。３番目の部分光導波体の第３の光学フィルタは、１つの色だけを通過させる。このようにすれば、場合によっては反射させられる太陽光の成分をさらに低減することができる。
【００１７】
本発明の１つの態様によれば、部分光導波体は平面的に形成されており、１つの積層体を成している。部分光導波体の平面的な構成により、２次元で射出瞳を拡開するために光導波体を使用することができる。この場合、１つの積層体となるよう複数の部分光導波体を集積することによって、ヘッドアップディスプレイを組み立てている間の取り扱いおよび調節が容易になる。これに加え、そのようにすることで光導波体の安定性が高められることになり、このことは特に、たとえば走行中に自動車内で発生する揺れなどにより、外部の力の作用に晒されるヘッドアップディスプレイにとって重要なことである。
【００１８】
本発明の１つの態様によれば、少なくとも１つの光学フィルタが積層体に集積されている。積層体に光学フィルタを集積することによって、このフィルタは所定の範囲で外部の作用から保護されている。しかもこの構成であれば、光導波体を光学フィルタと共にただ１つの製造ステップで、ヘッドアップディスプレイに組み込むことができ、これによって製造時間が短縮される。
【００１９】
本発明の１つの態様によれば、光学フィルタは部分光導波体の界面に被着されている。このようにすれば、積層体内でのさらなる反射を阻止することができ、妨害光から搬送されてすべての界面全体に当射するエネルギーの量を、最小限に抑えることができる。
【００２０】
本発明の１つの態様によれば、部分光導波体の界面への光学フィルタの被着は、蒸着またはスパッタリングにより行われる。蒸着によって、つまり蒸気による層の堆積によって、所望の光学フィルタを著しく低コストで製造することができる。カソードスパッタリングとも呼ばれるスパッタリングによる光学フィルタの被着は、あまり低コストではないけれども、精度に対し高い要求を伴う複雑なフィルタに特に適している。
【００２１】
好ましくは本発明による装置は、移動手段の操作者のために虚像を生成する目的で、移動手段において虚像を生成するために用いられる。移動手段をたとえば、自動車または航空機とすることができる。当然ながら本発明による解決手段を、別の環境においても、または別の用途のためにも、用いることができ、たとえばトラック、鉄道技術および公共近距離旅客輸送、クレーンおよび工事機械などにおいても、用いることができる。
【００２２】
以下の説明ならびに添付の特許請求の範囲に基づき図面を参照することで、本発明のさらなる特徴が明らかになる。
【図面の簡単な説明】
【００２３】
【図１】従来技術による自動車用ヘッドアップディスプレイを概略的に示す図である。
【図２】２次元で拡大された光導波体を示す図である。
【図３】光導波体を備えたヘッドアップディスプレイを概略的に示す図である。
【図４】光導波体を備えた自動車におけるヘッドアップディスプレイを概略的に示す図である。
【図５】光学フィルタを備えた本発明による光導波体への妨害光の入射について示す図である。
【図６】図５による光学フィルタの透過特性曲線を概略的に示す図である。
【図７】３つの光学フィルタを備えた本発明による光導波体への妨害光の入射について示す図である。
【図８】図７による光学フィルタの透過特性曲線を概略的に示す図である。
【００２４】
発明を実施するための形態
本発明の原理について理解を深めるために、以下では図面に基づき本発明の実施形態を詳しく説明する。図中、同じ構成要素または同じ働きをする構成要素に対し同じ参照符号が用いられ、それらについては必ずしも図面ごとに新たに説明しない。自明のとおり、本発明は図示されている実施形態に限定されるものではなく、ここで説明する特徴を、添付の特許請求の範囲において定義されているような本発明の保護範囲から逸脱することなく、組み合わせることもできるし、または変形することもできる。
【００２５】
最初に図１〜図４に基づき、光導波体を備えたヘッドアップディスプレイの基本的着想について説明する。
【００２６】
図１には、従来技術による自動車用ヘッドアップディスプレイの原理図が示されている。このヘッドアップディスプレイは、画像生成器１と光学ユニット２とミラーユニット３とを有する。表示素子１１からビーム束ＳＢ１が発せられ、これは折り返しミラー２１により湾曲ミラー２２に向けて反射させられ、湾曲ミラー２２はビーム束ＳＢ１をミラーユニット３の方向に反射させる。ミラーユニット３はここでは、自動車のフロントガラス３１として示されている。そこからビーム束ＳＢ２は、観察者の目６１の方向に達する。
【００２７】
観察者は、自動車の外側でボンネット上方またはそれどころか自動車前方に位置する虚像ＶＢを見る。光学ユニット２とミラーユニット３との共働により、虚像ＶＢは表示素子１１により表示された画像の拡大表示である。ここでは速度制限、目下の車両速度ならびにナビゲーション指示がシンボルで表示されている。矩形により示唆されたアイボックス６２内に目６１が位置しているかぎり、虚像のすべての要素を目６１で見ることができる。目６１がアイボックス６２の外側に位置していると、虚像ＶＢは観察者には部分的にしか見えず、またはまったく見えない。アイボックス６２が大きくなればなるほど、観察者にとって自身のシートポジションの選択にあたり制約が少なくなる。
【００２８】
湾曲ミラー２２の湾曲はフロントガラス３１の湾曲に整合されており、これにより画像のゆがみがアイボックス６２全体にわたり安定するよう配慮される。湾曲ミラー２２は、支承部２２１により旋回可能に支承されている。これにより湾曲ミラー２２が回転可能になることで、アイボックス６２をシフトさせることができるようになり、したがってアイボックス６２のポジションを目６１のポジションに整合させることができるようになる。折り返しミラー２１の役割は、表示素子１１と湾曲ミラー２２との間でビーム束ＳＢ１が辿る経路が長くなるようにし、同時に光学ユニット２が結果としてコンパクトになるようにすることである。光学ユニット２は、透明なカバー２３によって周囲に対し仕切られている。したがって光学ユニット２の光学素子は、たとえば車両の内部空間に存在する埃から保護されている。さらにカバー２３の上には、光学シートもしくは偏光子２４が設けられている。表示素子１１は一般に偏光されており、ミラーユニット３は検光子のように作用する。したがって偏光子２４の目的は、有効光の均等な可視性を達成するように偏光に作用を及ぼすことである。防眩素子２５の役割は、カバー２３の界面を介して反射させられる光を確実に吸収して、観察者の眩惑が引き起こされないようにすることである。太陽光ＳＬ以外に、他の妨害光源６４の光も表示素子１１に到達する可能性がある。偏光フィルタと組み合わせて、入射する太陽光ＳＬをカットするために偏光子２４を付加的に利用することもできる。
【００２９】
図２には、２次元で拡大された光導波体５が立体表示で概略的に示されている。左下の領域に入射ホログラム５３が示されており、これを用いることで、図示されていない画像生成ユニットから到来する光Ｌ１が光導波体５に入射される。この光導波体５において図面では右上に向かって、矢印Ｌ２に従い光が伝播する。光導波体５のこの領域には折り返しホログラム５１が設けられており、これは相前後して配置された多数の半透過性ミラーと似たように作用し、Ｙ方向に拡がりＸ方向に伝播する光束を生成する。このことは３つの矢印Ｌ３によって示唆されている。図面では右に向かって延びている光導波体５の部分に出射ホログラム５２が設けられており、これもやはり相前後して配置された多数の半透過性ミラーと似たように作用し、矢印Ｌ４で示唆された光をＺ方向で上方に向けて光導波体５から出射させる。この場合、入射した元々の光束Ｌ１が、２次元で拡大された光束Ｌ４として光導波体５から離れるように、Ｘ方向での拡がりが発生する。
【００３０】
図３には、３つの光導波体５Ｒ、５Ｇ、５Ｂを備えたヘッドアップディスプレイが、立体表示で概略的に示されており、これらの光導波体は上下に位置するように配置されており、赤色、緑色および青色というそれぞれ１つの基本色のために設けられている。これらの光導波体が合わさって光導波体５を成している。光導波体５内に設けられているホログラム５１、５２、５３は波長依存性であり、したがってそれぞれ１つの光導波体５Ｒ、５Ｇ、５Ｂが基本色のうちの１つのために用いられる。光導波体５の上方に、画像生成器１および光学ユニット２が示されている。光学ユニット２はミラー２０を有しており、このミラー２０によって、画像生成器１により生成され光学ユニット２により成形された光が、個々の入射ホログラム５３の方向に偏向される。画像生成器１は、３つの基本色のための３つの光源１４Ｒ、１４Ｇ、１４Ｂを有する。ここでわかるのは、図示されているユニット全体はその光放射面に比べて僅かな構造全高を有する、ということである。
【００３１】
図４には、図１と同様に自動車におけるヘッドアップディスプレイが、ただしここでは立体表示で光導波体５と共に示されている。この図からわかるように、ミラー面５２３を用いて光導波体５に入射される平行なビーム束ＳＢ１を生成する画像生成器１が概略的に示唆されている。簡略化するため、光学ユニットは図示されていない。複数のミラー面５２２によって、それらに当射する光のそれぞれ一部がフロントガラス３１すなわちミラーユニット３の方向に反射させられる。そこから光は目６１の方向に反射させられる。観察者は、ボンネット上方もしくは自動車前方のさらに隔たった距離のところで虚像ＶＢを見る。この技術の場合にも、光学系全体が１つのハウジング内に組み込まれており、このハウジングは透明なカバーによって周囲に対し仕切られている。図１のヘッドアップディスプレイにおいてすでに示したように、このカバーの上に位相子を配置することができる。
【００３２】
図５には、光学フィルタ７０を備えた本発明による光導波体５への妨害光の入射について示されている。図６には、光学フィルタ７０の透過特性曲線が概略的に示されている。光導波体５は、観察者６１のために虚像ＶＢを生成する装置の構成部分である。この実施例ではこの装置は、自動車のヘッドアップディスプレイである。光導波体５はこの場合、射出瞳を２次元で拡開する役割を果たす。自動車のフロントガラス３１が、ミラーユニット３として機能する。妨害光源６４はこの場合、太陽光である。
【００３３】
光導波体５は図示の実施例の場合、それぞれ異なる波長λＲ、λＧ、λＢに対して最適化された３つの部分光導波体５Ｒ、５Ｇ、５Ｂを有する。好ましくはこれらの波長は、赤色、緑色および青色に相応する。図５の一番上の部分光導波体５Ｒは、光学フィルタ７０たとえば誘電体フィルタを有する。波長λに対し透過係数Ｔが書き込まれた、図６に概略的に示されている透過特性曲線から読み取れるように、光学フィルタ７０は、使用される３つの波長λＲ、λＧ、λＢに対応する３つの狭帯域の透過帯域を有する。部分光導波体５Ｒ、５Ｇ、５Ｂは、それぞれ配属された色を放出する光源１４Ｒ、１４Ｇ、１４Ｂによって照射される。レーザ光を使用した場合、光源１４Ｒ、１４Ｇ、１４Ｂのサポート波長λＲ、λＧ、λＢに対し著しく狭帯域のスペクトルだけしか存在しない。
【００３４】
ホログラフィック光導波体５に依拠するヘッドアップディスプレイの場合には、有効光のほか、個々の部分光導波体５Ｒ、５Ｇ、５Ｂのガラス板のところでの、妨害光源６４としての太陽光の鏡面反射およびホログラフィック反射も、ミラーユニット３を介して目６１に向けて反射させられる。その結果として通常、少なくとも画像の識別が損なわれることになるけれども、じかにシステムのユーザの安全に関わる眩惑を引き起こすことも多い。光学フィルタ７０の使用によって達成されるのは、妨害光のうち狭帯域領域だけしか部分光導波体５Ｒ、５Ｇ、５Ｂまで進めない、ということである。これによって、場合によっては反射させられる太陽光の成分が著しく低減される。
【００３５】
図７には、３つの光学フィルタ７０Ｒ、７０Ｇ、７０Ｂを備えた本発明による光導波体５への妨害光の入射について示されている。図８には、これらの光学フィルタ７０Ｒ、７０Ｇ、７０Ｂの透過特性曲線が概略的に示されている。この場合、部分図（ａ）は、妨害光源６４から見て１番目の光学フィルタ７０Ｒの透過特性曲線を示し、部分図（ｂ）は、２番目の光学フィルタ７０Ｇの透過特性曲線を、さらに部分図（ｃ）は、３番目の光学フィルタ７０Ｂの透過特性曲線を示す。図６にすでに示したように、これらの透過特性曲線では波長λに対し透過係数Ｔが書き込まれている。
【００３６】
この変形実施形態の場合、部分光導波体５Ｒ、５Ｇ、５Ｂごとに１つの光学フィルタ７０Ｒ、７０Ｇ、７０Ｂが設けられている。妨害光源６４から見て最初の部分光導波体５Ｒは、３つの色すべてを透過させる第１の光学フィルタ７０Ｒを表面に有する一方、これに続く部分光導波体５Ｇの第２の光学フィルタ７０Ｇは、２つの色に対してのみ透過性である。第３の部分光導波体５Ｂの第３の光学フィルタ７０Ｂは、１つの色だけを通過させる。製造プロセスの可能性次第では、これらの光学フィルタ７０Ｒ、７０Ｇ、７０Ｂを、部分光導波体５Ｒ、５Ｇ、５Ｂの界面に直接、被着させることもでき、これによってさらなる反射が阻止され、すべての界面全体に向かうエネルギー量が最小限に抑えられる。
【符号の説明】
【００３７】
１  画像生成器／画像生成ユニット
１１  表示素子
１４、１４Ｒ、１４Ｇ、１４Ｂ  光源
２  光学ユニット
２０  ミラー
２１  折り返しミラー
２２  湾曲ミラー
２２１  支承部
２３  透明なカバー
２４  光学シート／偏光子
２５  防眩素子
３  ミラーユニット
３１  フロントガラス
５、５Ｒ、５Ｇ、５Ｂ  光導波体
５１  折り返しホログラム
５２  出射ホログラム
５２２  ミラー面
５２３  ミラー面
５３  入射ホログラム
５４  基板
５５  カバー層
５６  ホログラム層
６１  目／観察者
６２  アイボックス
６４  妨害光源
７０、７０Ｒ、７０Ｇ、７０Ｇ  光学フィルタ
Ｌ１〜Ｌ４  光
λ、λＲ、λＧ、λＢ  波長
Ｓ１  表示すべき画像を受信する
Ｓ２  描画すべき画像内容が存在しない領域を特定する
Ｓ３  特定の領域に従い電極アレイをスイッチングする
ＳＢ１、ＳＢ２  ビーム束
ＳＬ  太陽光
Ｔ  透過係数
ＶＢ  虚像
【図１】
2021528681.tif 000003
【図２】
2021528681.tif 000004
【図３】
2021528681.tif 000005
【図４】
2021528681.tif 000006
【図５】
2021528681.tif 000007
【図６】
2021528681.tif 000008
【図７】
2021528681.tif 000009
【図８（ａ）】
2021528681.tif 000010
【図８（ｂ）】
2021528681.tif 000011
【図８（ｃ）】
2021528681.tif 000012
【国際調査報告】
2021528681.tif 000013
2021528681.tif 000014
2021528681.tif 000015
2021528681.tif 000016